【手続補正書】
【提出日】令和1年8月6日(2019.8.6)
【手続補正１】
【補正対象書類名】特許請求の範囲
【補正対象項目名】全文
【補正方法】変更
【補正の内容】
【特許請求の範囲】
【請求項１】
背もたれ部となるシートバックと、着座部となるシートクッションと、を有するシート本体を備え、
乗員が着座可能な使用状態と、前記シート本体を収納させた収納状態との間で切り替え可能な車両用シートであって、
該車両用シートは、前記シート本体を移動可能にするレール装置と、前記レール装置を覆うベースカバーと、前記シートクッションの一部を外側から覆うクッションカバーと、を備え、
前記ベースカバーは、前記シート本体を前記使用状態と前記収納状態との間で移動させるときに前記シートクッションの一部と当接可能なベース当接部を備え、
前記シート本体が前記収納状態にあるときに、前記ベース当接部が前記クッションカバーの下端よりもシート上下方向における上側に配置されていることを特徴とする車両用シート。
【請求項２】
前記シート本体を支持する支持ベースの前方部分を連結する第１ベース連結部を備え、
前記ベースカバーには、補強リブが形成されており、
前記ベース当接部及び前記補強リブは、前記第１ベース連結部よりも上側に配置されていることを特徴とする請求項１に記載の車両用シート。
【請求項３】
前記ベース当接部及び前記第１ベース連結部は、前記補強リブとシート左右方向において重なる位置に配置されていることを特徴とする請求項２に記載の車両用シート。
【請求項４】
前記シートバックを回動可能に設けるリクライニング装置を備え、
前記ベース当接部と前記リクライニング装置は、シート左右方向において前記第１ベース連結部を挟んで配置されていることを特徴とする請求項２又は３に記載の車両用シート。
【請求項５】
前記シートバックを回動可能に設けるリクライニング装置を備え、
前記ベース当接部は、前記リクライニング装置よりも、シート前後方向における前側に配置されていることを特徴とする請求項１乃至３のいずれか一項に記載の車両用シート。
【請求項６】
前記シート本体を支持する左右のサイドベース部を備え、
左右の前記サイドベース部の一方における、シート側面側から見てシート回動軸と対向する部分には、半円形状の切り欠き部が形成されており、
前記ベース当接部は、前記切り欠き部を避けて配置されていることを特徴とする請求項１乃至５のいずれか一項に記載の車両用シート。
【請求項７】
前記シートバックに対して前記シートクッションを回動可能に連結するクッション回動装置と、
前記シートクッションに設けられ、前記クッション回動装置をロック状態からロック解除状態に切り替え可能なロックオフレバーを有するロックオフ装置と、を備え、
前記ベースカバーは、前記シート本体を前記使用状態と前記収納状態との間で移動させるときに前記ロックオフレバーと当接可能なレバー当接部を備え、
前記ベース当接部と前記レバー当接部は、シート左右方向において離間して配置されていることを特徴とする請求項１乃至６のいずれか一項に記載の車両用シート。
【手続補正２】
【補正対象書類名】明細書
【補正対象項目名】０００８
【補正方法】変更
【補正の内容】
【０００８】
前記課題は、本発明の車両用シートによれば、背もたれ部となるシートバックと、着座部となるシートクッションと、を有するシート本体を備え、乗員が着座可能な使用状態と、前記シート本体を収納させた収納状態との間で切り替え可能な車両用シートであって、該車両用シートは、前記シート本体を移動可能にするレール装置と、前記レール装置を覆うベースカバーと、前記シートクッションの一部を外側から覆うクッションカバーと、を備え、前記ベースカバーは、前記シート本体を前記使用状態と前記収納状態との間で移動させるときに前記シートクッションの一部と当接可能なベース当接部を備え、前記シート本体が前記収納状態にあるときに、前記ベース当接部が前記クッションカバーの下端よりもシート上下方向における上側に配置されていること、により解決される。
【手続補正３】
【補正対象書類名】明細書
【補正対象項目名】０００９
【補正方法】変更
【補正の内容】
【０００９】
このように構成されているため、シート本体を使用状態と移動状態との間で移動するときに、シートクッションをベースカバーでガイドすることができ、シンプルな構成で使用状態と移動状態とを切り替えることができる。
【手続補正４】
【補正対象書類名】明細書
【補正対象項目名】００１０
【補正方法】変更
【補正の内容】
【００１０】
このとき、前記シート本体を支持する支持ベースの前方部分を連結する第１ベース連結部を備え、前記ベースカバーには、補強リブが形成されており、前記ベース当接部及び前記補強リブは、前記第１ベース連結部よりも上側に配置されていると好適である。
【手続補正５】
【補正対象書類名】明細書
【補正対象項目名】００１１
【補正方法】変更
【補正の内容】
【００１１】
また、前記ベース当接部及び前記第１ベース連結部は、前記補強リブとシート左右方向において重なる位置に配置されていると好適である。
【手続補正６】
【補正対象書類名】明細書
【補正対象項目名】００１２
【補正方法】変更
【補正の内容】
【００１２】
また、前記シートバックを回動可能に設けるリクライニング装置を備え、前記ベース当接部と前記リクライニング装置は、シート左右方向において前記第１ベース連結部を挟んで配置されていると好適である。
【手続補正７】
【補正対象書類名】明細書
【補正対象項目名】００１３
【補正方法】変更
【補正の内容】
【００１３】
また、前記シートバックを回動可能に設けるリクライニング装置を備え、前記ベース当接部は、前記リクライニング装置よりも、シート前後方向における前側に配置されていると好適である。
【手続補正８】
【補正対象書類名】明細書
【補正対象項目名】００１４
【補正方法】変更
【補正の内容】
【００１４】
また、前記シート本体を支持する左右のサイドベース部を備え、左右の前記サイドベース部の一方における、シート側面側から見てシート回動軸と対向する部分には、半円形状の切り欠き部が形成されており、前記ベース当接部は、前記切り欠き部を避けて配置されていると好適である。
【手続補正９】
【補正対象書類名】明細書
【補正対象項目名】００１５
【補正方法】変更
【補正の内容】
【００１５】
さらに、前記シートバックに対して前記シートクッションを回動可能に連結するクッション回動装置と、前記シートクッションに設けられ、前記クッション回動装置をロック状態からロック解除状態に切り替え可能なロックオフレバーを有するロックオフ装置と、を備え、前記ベースカバーは、前記シート本体を前記使用状態と前記収納状態との間で移動させるときに前記ロックオフレバーと当接可能なレバー当接部を備え、前記ベース当接部と前記レバー当接部は、シート左右方向において離間して配置されていると好適である。
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】変更
【補正の内容】
【００１８】
本発明によれば、シート本体を使用状態と移動状態との間で移動するときに、シートクッションをベースカバーでガイドすることができ、シンプルな構造で使用状態と移動状態とを切り替えることができる。
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】